Podtech/llm-jp-corpus-v4-ja_patent huggingface dataset:
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機であって、
可変表示を行う第１可変表示手段と、
可変表示を行う第２可変表示手段と、
前記第２可変表示手段における可変表示に関する情報を保留情報として記憶する保留記憶手段と、
前記有利状態の終了後、所定回数可変表示が実行されるまで通常状態よりも前記保留情報を記憶しやすい特別状態に制御可能な特別状態制御手段と、
前記保留情報を記憶させることを促す促進報知と、前記有利状態に制御されることを示唆する示唆演出と、を実行可能な演出制御手段と、を備え、
前記特別状態において、前記保留情報を上限数まで記憶させた場合に、当該上限数まで記憶させなかった場合よりも前記有利状態に制御される割合が高く、
前記演出制御手段は、
前記促進報知をリーチ演出よりも優先して実行し、
前記保留記憶手段に記憶される前記保留情報の数が前記上限数未満である場合で前記所定回数目の可変表示である特別状態最終可変表示が実行されるときに、前記促進報知を前記リーチ演出と並行して実行可能であり、
前記保留記憶手段に記憶される前記保留情報の数が少なくとも前記上限数に達した場合で前記特別状態最終可変表示が実行されるときに、前記促進報知を実行せずに、前記示唆演出を実行可能であり、
前記促進報知の実行中に、特定期待度の前記示唆演出を実行することが決定された場合、当該示唆演出の少なくとも一部の演出を実行可能である、
ことを特徴とする遊技機。
【手続補正２】
【補正対象書類名】明細書
【補正対象項目名】０００７
【補正方法】変更
【補正の内容】
【０００７】
（Ａ）  可変表示を実行し、遊技者にとって有利な有利状態に制御可能な遊技機であって、
可変表示を行う第１可変表示手段と、
可変表示を行う第２可変表示手段と、
前記第２可変表示手段における可変表示に関する情報を保留情報として記憶する保留記憶手段と、
前記有利状態の終了後、所定回数可変表示が実行されるまで通常状態よりも前記保留情報を記憶しやすい特別状態に制御可能な特別状態制御手段と、
前記保留情報を記憶させることを促す促進報知と、前記有利状態に制御されることを示唆する示唆演出と、を実行可能な演出制御手段と、を備え、
前記特別状態において、前記保留情報を上限数まで記憶させた場合に、当該上限数まで記憶させなかった場合よりも前記有利状態に制御される割合が高く、
前記演出制御手段は、
前記促進報知をリーチ演出よりも優先して実行し、
前記保留記憶手段に記憶される前記保留情報の数が前記上限数未満である場合で前記所定回数目の可変表示である特別状態最終可変表示が実行されるときに、前記促進報知を前記リーチ演出と並行して実行可能であり、
前記保留記憶手段に記憶される前記保留情報の数が少なくとも前記上限数に達した場合で前記特別状態最終可変表示が実行されるときに、前記促進報知を実行せずに、前記示唆演出を実行可能であり、
前記促進報知の実行中に、特定期待度の前記示唆演出を実行することが決定された場合、当該示唆演出の少なくとも一部の演出を実行可能である、
ことを特徴とする遊技機。
（１）上記目的を達成するため、本願発明に係る遊技機は、
可変表示を実行し、遊技者にとって有利な有利状態（例えば大当り遊技状態）に制御可能な遊技機（例えばパチンコ遊技機１）であって、
可変表示を行う第１可変表示手段（例えば第１特別図柄表示器８ａ）と、
可変表示を行う第２可変表示手段（例えば第２特別図柄表示器８ｂ）と、
前記第２可変表示手段における可変表示に関する情報を保留情報として記憶する保留記憶手段（例えば第２保留記憶バッファ）と、
前記有利状態の終了後、所定回数可変表示が実行されるまで通常状態よりも前記保留情報を記憶しやすい特別状態（例えば時短状態）に制御可能な特別状態制御手段（例えばＳ１６４〜Ｓ１７０の処理を実行するＣＰＵ５６）と、
前記保留情報を記憶させることを促す促進報知（例えば入賞促進報知）と、前記有利状態に制御されるか否かを示唆する示唆演出（例えば特定予告演出）と、を実行可能な演出制御手段（例えば時短最終変動演出処理を実行する演出制御用ＣＰＵ１０１）と、を備え、
前記特別状態において、前記保留情報を上限数まで記憶させた場合に、当該上限数まで記憶させなかった場合よりも前記有利状態に制御される割合が高く（例えば第２特別図柄の変動表示では、約１／７という割合で小当りが発生する）、
前記演出制御手段は、
前記保留記憶手段に記憶される前記保留情報の数が前記上限数未満の第１数（例えば０〜２）で前記所定回数目の可変表示である特別状態最終可変表示が実行されるときに、前記促進報知を実行可能であり、
前記保留記憶手段に記憶される前記保留情報の数が前記第１数よりも多い第２数（例えば３以上）で前記特別状態最終可変表示が実行されるときに、前記促進報知を実行せずに、前記示唆演出を実行する。
このような構成によれば、状況に応じた適切な報知を実行できる。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
海水を汲み上げるポンプと、
前記ポンプによって汲み上げられた海水を貯留する水槽と、
地下水および前記海水とは異なる海水のうちの少なくとも一方を用いて、前記ポンプによって汲み上げられた海水の水温を調整する熱交換器と
を備える、養殖システム。
【請求項２】
前記ポンプは、水深１ｍ以上１０ｍ以下の海水を汲み上げる、請求項１に記載の養殖システム。
【請求項３】
前記水槽は陸地に配置される、請求項１または２に記載の養殖システム。
【請求項４】
前記熱交換器は、前記地下水を用いて、前記ポンプによって汲み上げられた海水の水温を調整する、請求項１から３のいずれかに記載の養殖システム。
【請求項５】
前記ポンプによって汲み上げられる海水よりも深い位置の海水を汲み上げる深位置ポンプをさらに備える、請求項１から４のいずれかに記載の養殖システム。
【請求項６】
前記熱交換器は、前記深位置ポンプによって汲み上げられた海水を用いて、前記ポンプによって汲み上げられた海水の水温を調整する、請求項５に記載の養殖システム。
【請求項７】
前記地下水を汲み上げ可能な第１地下水汲上ポンプと、
前記第１地下水汲上ポンプが取り付けられた第１配管と、
前記地下水を汲み上げ可能な第２地下水汲上ポンプと、
前記第２地下水汲上ポンプが取り付けられた第２配管と
をさらに備え、
前記第１配管は、地下水脈に設置された一端と、前記熱交換器に接続された他端とを有し、
前記第２配管は、地下水脈に設置された一端と、前記熱交換器に接続された他端とを有し、
前記第１配管および前記第２配管の一方から汲み上げられた地下水は、前記熱交換器と、前記第１配管および前記第２配管の他方とを通過して前記地下水脈に流れる、請求項４に記載の養殖システム。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
通信装置であって、
画像データを保持する保持手段と、
自機をアクセスポイントとする無線ネットワークを形成する形成手段と、
表示手段と、を有し、
情報端末への画像データの送信指示を受け付けると、自機をアクセスポイントとする無線ネットワークを形成するとともに、形成した無線ネットワークのネットワーク情報を示す第１の二次元コードを表示し、
前記情報端末が前記第１の二次元コードを用いて前記無線ネットワークに接続すると、送信対象である画像データのアクセス情報を示す第２の二次元コードを表示する、ことを特徴とする通信装置。
【請求項２】
前記第２の二次元コードが表示されるタイミングでは、前記第１の二次元コードは表示されないよう制御することを特徴とする請求項１に記載の通信装置。
【請求項３】
撮像手段を備え、
前記表示手段は、前記撮像手段による撮像で得られた画像データを表示し、
前記表示手段に表示された画像データを指定することによって、前記情報端末への画像データの送信指示を受け付けることを特徴とする請求項１または２に記載の通信装置。
【請求項４】
前記表示手段を制御する表示制御手段を備え、
前記表示制御手段は、
前記表示手段に第１の二次元コードを表示する際、当該第１の二次元コードが無線ネットワークに接続するためのコードであることを示す表示を行い、
前記表示手段に第２の二次元コードを表示する際、当該第２の二次元コードが画像送信するためのコードであることを示す表示を行う、ことを特徴とする請求項２または３に記載の通信装置。
【請求項５】
前記無線ネットワークのネットワーク情報は、無線ネットワークの識別情報であるＳＳＩＤ、暗号化種別およびパスワードの少なくとも１つを含むことを特徴とする請求項１乃至４のいずれか１項に記載の通信装置。
【請求項６】
前記画像データのアクセス情報は、前記画像データを特定するＵＲＬを含むことを特徴とする請求項１乃至５のいずれか１項に記載の通信装置。
【請求項７】
前記第１の二次元コードと第２の二次元コードは、ＱＲコード（登録商標）であることを特徴とする請求項１乃至６のいずれか１項に記載の通信装置。
【請求項８】
前記無線ネットワークのネットワーク情報を示す第１の二次元コードを生成する機能と、前記画像データのアクセス情報を示す第２の二次元コードを生成する機能とを有する生成手段をさらに有し、
前記生成手段は、
前記情報端末への画像データの送信指示を受け付けたことに応じて前記第１の二次元コードを生成し、
前記情報端末が前記第１の二次元コードを用いて前記無線ネットワークに接続したことに応じて前記第２の二次元コードを生成することを特徴とする請求項１乃至７のいずれか１項に記載の通信装置。
【請求項９】
情報端末に画像を送信する通信装置の通信方法であって、
前記情報端末への画像データの送信指示を受け付けると、自機をアクセスポイントとする無線ネットワークを形成するとともに、形成した無線ネットワークのネットワーク情報を示す第１の二次元コードを生成して表示する工程と、
前記情報端末が前記第１の二次元コードを用いて前記無線ネットワークに接続すると、送信対象である画像データのアクセス情報を示す第２の二次元コードを生成して表示する工程と、
前記情報端末から前記第２の二次元コードを用いてアクセス情報を表示した前記画像データへのアクセスを受け付けたことに応じて、前記画像データの前記情報端末への送信を行う工程と、を備えることを特徴とする通信方法。
【請求項１０】
情報端末に画像データの送信を行う通信装置の通信方法であって、
前記情報端末から画像データの送信指示を受け付けると、自機をアクセスポイントとする無線ネットワークを形成する工程と、
形成した無線ネットワークに接続するための情報を示す第１の二次元コードと、取得要求を受けた前記画像データにアクセスするための情報を示す第２の二次元コードを生成する工程と、
前記第１の二次元コードと第２の二次元コードを前記情報端末が読み取り可能なように表示して、前記情報端末に前記画像データを送信することを特徴とする通信方法。
【請求項１１】
コンピュータを、請求項１乃至８のいずれか１項に記載の通信装置の各手段と機能させるためのプログラム。
【手続補正２】
【補正対象書類名】明細書
【補正対象項目名】０００７
【補正方法】変更
【補正の内容】
【０００７】
上記目的のために、本発明の通信装置は、画像データを保持する保持手段と、自機をアクセスポイントとする無線ネットワークを形成する形成手段と、表示手段と、を有し、情報端末への画像データの送信指示を受け付けると、無線ネットワークを形成するとともに、形成した無線ネットワークのネットワーク情報を示す第１の二次元コードを表示し、前記情報端末が前記第１の二次元コードを用いて前記無線ネットワークに接続すると、送信対象である画像データのアクセス情報を示す第２の二次元コードを表示する、ことを特徴とする。
【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
撮影光学系に含まれるフォーカスレンズの位置に応じた像倍率の変動を補正するための第１変倍特性を取得する第１取得手段と、
前記撮影光学系の歪曲収差を補正するための第２変倍特性を取得する第２取得手段と、
前記撮影光学系を介して撮像された画像を補正するための、前記第１変倍特性に基づく補正用の変倍率を制御する制御手段と、
前記補正用の変倍率を用いて、前記撮像された画像を変倍する変倍手段と、を有し、
前記制御手段は、前記第１変倍特性と前記第２変倍特性との関係に応じて、前記第２変倍特性に基づく変倍率を加味するように前記補正用の変倍率を変更する、ことを特徴とする撮像装置。
【請求項２】
前記制御手段は、前記画像の歪曲収差の形状が糸巻型である場合、前記補正用の変倍率を前記糸巻型の歪曲収差の補正に必要な拡大率を加味するように変更する、ことを特徴とする請求項１に記載の撮像装置。
【請求項３】
前記制御手段は、前記第１変倍特性と前記第２変倍特性との関係を判定するために、前記フォーカスレンズのそれぞれの位置において前記第１変倍特性に基づく拡大率が前記第２変倍特性に基づく拡大率を下回ることがあるかを判定し、
前記第１変倍特性に基づく拡大率が前記第２変倍特性に基づく拡大率を下回ることがある場合に、前記第２変倍特性に基づく拡大率を加味するように前記補正用の変倍率を変更する、ことを特徴とする請求項１又は２に記載の撮像装置。
【請求項４】
前記制御手段は、前記第１変倍特性に基づく拡大率と前記第２変倍特性に基づく拡大率の比に基づいて歪曲収差の補正に必要な変倍率の不足量を算出し、前記不足量を用いて前記補正用の変倍率を変更する、ことを特徴とする請求項１から３のいずれか１項に記載の撮像装置。
【請求項５】
前記制御手段は、前記画像の歪曲収差の形状が樽型である場合、樽型の歪曲収差の補正に必要な縮小を加味するように前記補正用の変倍率を変更する、ことを特徴とする請求項１から４のいずれか１項に記載の撮像装置。
【請求項６】
前記制御手段は、前記第１変倍特性に基づく拡大率と前記第２変倍特性に基づく縮小率の積に基づいて像倍率の変動の補正が可能な変倍率を算出し、前記算出された変倍率を用いて前記補正用の変倍率を変更する、ことを特徴とする請求項５に記載の撮像装置。
【請求項７】
前記撮像装置に設定する撮像モードを受け付ける受付手段を更に有し、
前記制御手段は、前記受付手段によって設定された前記撮像モードに応じて定められる最大の像高に応じて、前記第２変倍特性を異ならせる、ことを特徴とする請求項１から６のいずれか１項に記載の撮像装置。
【請求項８】
前記撮影光学系は、前記撮像装置に装着された交換式レンズであり、
前記第２取得手段は、前記第２変倍特性を、前記交換式レンズから取得した歪曲収差を補正するための情報に基づいて生成する、ことを特徴とする請求項１から７のいずれか１項に記載の撮像装置。
【請求項９】
前記制御手段は、動画撮影時における前記フォーカスレンズの位置の変動に対して、前記補正用の変倍率を制御する、ことを特徴とする請求項１から８のいずれか１項に記載の撮像装置。
【請求項１０】
第１取得手段が、撮影光学系に含まれるフォーカスレンズの位置に応じた像倍率の変動を補正するための第１変倍特性を取得する第１取得工程と、
第２取得手段が、前記撮影光学系の歪曲収差を補正するための第２変倍特性を取得する第２取得工程と、
制御手段が、前記撮影光学系を介して撮像された画像を補正するための、前記第１変倍特性に基づく補正用の変倍率を制御する制御工程と、
変倍手段が、前記補正用の変倍率を用いて、前記撮像された画像を変倍する変倍工程と、を有し、
前記制御工程では、前記第１変倍特性と前記第２変倍特性との関係に応じて、前記第２変倍特性に基づく変倍率を加味するように前記補正用の変倍率を変更する、ことを特徴とする撮像装置の制御方法。
【請求項１１】
コンピュータを、請求項１から９のいずれか１項に記載の撮像装置の各手段として機能させるためのプログラム。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
第一状態、第二状態に変更可能な設定手段と、
遊技情報を記憶可能な記憶手段と、
初期化操作手段の操作に基づき記憶手段の遊技情報を初期化可能な初期化手段と
を備え、
設定手段が第一状態であり初期化操作手段が操作された状況下で電源が投入されると、設定値を設定可能な設定値設定状態に設定し、
設定手段が第二状態であり初期化操作手段が操作された状況下で電源が投入されると、記憶手段の遊技情報を初期化し、
設定手段が第一状態であり初期化操作手段が操作されていない状況下で電源が投入されると、設定値を新たに設定できないものの、設定値を所定の表示手段に表示可能な設定表示状態に設定し、
記憶手段には、少なくともデータを退避する際に使用される退避領域と、退避領域よりも上位のアドレスの所定領域とを含み、
所定領域と退避領域との間には遊技に使用されない領域を有し、
所定のエラーが発生している状況下では、設定表示状態にならないよう構成されている
ことを特徴とするぱちんこ遊技機。
【手続補正２】
【補正対象書類名】明細書
【補正対象項目名】０００５
【補正方法】変更
【補正の内容】
【０００５】
本態様に係るぱちんこ遊技機は、
第一状態、第二状態に変更可能な設定手段と、
遊技情報を記憶可能な記憶手段と、
初期化操作手段の操作に基づき記憶手段の遊技情報を初期化可能な初期化手段と
を備え、
設定手段が第一状態であり初期化操作手段が操作された状況下で電源が投入されると、設定値を設定可能な設定値設定状態に設定し、
設定手段が第二状態であり初期化操作手段が操作された状況下で電源が投入されると、記憶手段の遊技情報を初期化し、
設定手段が第一状態であり初期化操作手段が操作されていない状況下で電源が投入されると、設定値を新たに設定できないものの、設定値を所定の表示手段に表示可能な設定表示状態に設定し、
記憶手段には、少なくともデータを退避する際に使用される退避領域と、退避領域よりも上位のアドレスの所定領域とを含み、
所定領域と退避領域との間には遊技に使用されない領域を有し、
所定のエラーが発生している状況下では、設定表示状態にならないよう構成されている
ことを特徴とするぱちんこ遊技機である。
＜付記＞
尚、本態様とは異なる別態様について以下に列記しておくが、これらには何ら限定されることなく実施することが可能である。
本別態様に係るぱちんこ遊技機は、
遊技球が入球可能な第一始動口（例えば、第１主遊技始動口Ａ１０）と、
遊技球が入球可能な第二始動口（例えば、第２主遊技始動口Ｂ３０）と、
第一識別情報を表示可能な第一識別情報表示部（例えば、第１主遊技図柄表示部Ａ２１ｇ）と、
第二識別情報を表示可能な第二識別情報表示部（例えば、第２主遊技図柄表示部Ｂ２１ｇ）と、
第二始動口に取り付けられた、開放状態及び閉鎖状態に変位可能な可変部材（例えば、第２主遊技始動口電動役物Ｂ１１ｄ）であって、開放状態に変位したときには第二始動口に遊技球が入球可能又は閉鎖状態と比較して入球容易であり、閉鎖状態に変位したときには第二始動口に遊技球が入球不能又は開放状態と比較して入球困難に構成されている可変部材と、
閉状態と開状態とを採り得る大入賞口（例えば、第２大入賞口Ｃ２０）と、
遊技の進行を制御する主遊技部（例えば、主制御基板Ｍ）と
を備え、
主遊技部は、
第一始動口への入球に基づき第一乱数を取得する第一乱数取得手段と、
第一乱数取得手段により第一乱数が取得された場合、第一識別情報の変動表示開始条件を充足するまで当該取得された第一乱数を一時記憶して第一保留が生起するよう制御する第一乱数一時記憶手段と、
ある第一保留に関する第一識別情報の変動表示開始条件を充足した場合において、当該ある第一保留を消化して、当該ある第一保留に係る第一乱数に基づく当否判定結果に従い、第一識別情報表示部にて第一識別情報を変動表示させた後に第一識別情報の停止識別情報を停止表示するよう制御する第一識別情報表示制御手段と、
第二始動口への入球に基づき第二乱数を取得する第二乱数取得手段と、
第二乱数取得手段により第二乱数が取得された場合、第二識別情報の変動表示開始条件を充足するまで当該取得された第二乱数を一時記憶して第二保留が生起するよう制御する第二乱数一時記憶手段と、
ある第二保留に関する第二識別情報の変動表示開始条件を充足した場合において、当該ある第二保留を消化して、当該ある第二保留に係る第二乱数に基づく当否判定結果に従い、第二識別情報表示部にて第二識別情報を変動表示させた後に第二識別情報の停止識別情報を停止表示するよう制御する第二識別情報表示制御手段と
を有し、
第二保留が存在する場合には、第一識別情報の変動表示開始条件が充足されない一方、第一保留が存在するか否かに拘わらず、第二識別情報の変動表示開始条件が充足され得るよう構成されており、
第一識別情報表示部に停止表示された第一識別情報の停止識別情報が所定態様であった場合又は第二識別情報表示部に停止表示された第二識別情報の停止識別情報が所定態様であった場合、条件装置を作動可能な特別遊技と、
条件装置が作動する場合に作動可能で、大入賞口を連続して作動させることができる役物連続作動装置と、
第一乱数に基づく当否判定の結果又は第二乱数に基づく当否判定の結果が当選となる確率が所定確率となる低確率抽選状態と、第一乱数に基づく当否判定の結果又は第二乱数に基づく当否判定の結果が当選となる確率が当該所定確率よりも高確率となる高確率抽選状態と、
可変部材の開放容易性に関する遊技状態として、通常遊技状態と通常遊技状態よりも可変部材が開放状態となり易い特定遊技状態と
を備え、
大入賞口の少なくとも一つは、内部に特定領域を有する特殊大入賞口であり、
前記停止識別情報の所定態様として、特殊態様を有しており、
前記停止識別情報が特殊態様であった場合に実行された特別遊技中は、特殊大入賞口の特定領域へ遊技球が入球容易となるよう構成され、
特別遊技中に特殊大入賞口の特定領域に遊技球が入球した場合、当該特別遊技終了後に高確率抽選状態となることを決定するよう構成されており、
特別遊技中における役物連続作動装置の作動が終了した以降の所定タイミングにて条件装置の作動を終了させるよう構成されており、
役物連続作動装置の作動が終了してから条件装置の作動が終了するまでの期間は、特定遊技状態となり得る
ことを特徴とするぱちんこ遊技機である。
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
識別情報を変動表示させる識別情報表示手段と、
前記識別情報が特定態様で表示されることに基づいて、可変入球口が入球可能状態となる特定遊技を実行する特定遊技実行手段と、
前記特定遊技の終了後に遊技者にとって有利な有利状態を設定可能な有利状態設定手段と、
を備え、
前記有利状態は、当該有利状態の設定中に前記特定遊技が開始されなければ、前記識別情報の変動表示が所定の継続回数行われると終了するものであり、
前記特定遊技の実行中に遊技球が前記可変入球口に入球した場合は、前記継続回数が加算されたことを示唆する加算画像を表示可能であり、
前記特定遊技の実行中に前記加算画像が表示された状態で、遊技球が新たに前記可変入球口に入球した場合は、当該加算画像が表示された状態で新たな前記加算画像を表示可能であり、
前記特定遊技の実行中は、前記継続回数を示唆する合計画像を表示可能であり、
前記加算画像が新たに表示されるタイミングで前記合計画像を更新可能である
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
識別情報を変動表示させる識別情報表示手段と、
前記識別情報が特定態様で表示されることに基づいて、可変入球口が入球可能状態となる特定遊技を実行する特定遊技実行手段と、
前記特定遊技の終了後に遊技者にとって有利な有利状態を設定可能な有利状態設定手段と、
を備え、
前記有利状態は、当該有利状態の設定中に前記特定遊技が開始されなければ、前記識別情報の変動表示が所定の継続回数行われると終了するものであり、
前記特定遊技の実行中に遊技球が前記可変入球口に入球した場合は、前記継続回数が加算されたことを示唆する加算画像を表示可能であり、
前記特定遊技の実行中に前記加算画像が表示された状態で、遊技球が新たに前記可変入球口に入球した場合は、当該加算画像が表示された状態で新たな前記加算画像を表示可能であり、
前記特定遊技の実行中は、前記継続回数を示唆する合計画像を表示可能であり、
前記加算画像が新たに表示されるタイミングで前記合計画像を更新可能である
ことを特徴とする。
【手続補正書】
【提出日】令和3年5月6日(2021.5.6)
【手続補正１】
【補正対象書類名】明細書
【補正対象項目名】０００２
【補正方法】変更
【補正の内容】
【０００２】
図柄変動表示時間を短くする、いわゆる時間短縮遊技状態を所定の変動表示回数に限って実行制御する遊技機がある。
【手続補正２】
【補正対象書類名】明細書
【補正対象項目名】０００３
【補正方法】変更
【補正の内容】
【０００３】
【特許文献１】特開平９−１２２３１５号公報
【手続補正３】
【補正対象書類名】明細書
【補正対象項目名】０００４
【補正方法】変更
【補正の内容】
【０００４】
しかしながら、小当りを経て大当りを導出可能な遊技機においては、限定された変動表示回数内で特定の小当りが出現するまで大当りを見送ることができてしまう。このような遊技方法は、遊技者間での遊技の公正を阻害する虞があり望ましくない。
１つの側面では、本発明は、広く公正に遊技可能な遊技機を提供することを目的とする。
【手続補正４】
【補正対象書類名】明細書
【補正対象項目名】０００５
【補正方法】変更
【補正の内容】
【０００５】
上記目的を達成するために、以下に示すような、遊技機が提供される。遊技機は、第１の変動表示ゲームの結果または第２の変動表示ゲームの結果として第１の当りを導出可能にし、第１の当りを契機として第２の当りを導出可能にし、第２の当りの後に、第１の変動表示ゲームの遊技状態および第２の変動表示ゲームの遊技状態を遊技者にとって有利に遊技進行可能な特定遊技状態とし、特定遊技状態において、第１の変動表示ゲームの結果または第２の変動表示ゲームの結果が第１の所定回数導出されることを特定遊技状態の終了条件とするとともに、第２の変動表示ゲームの結果として第１の当りが第２の所定回数導出されることを特定遊技状態の終了条件とする、遊技制御手段を含む。
【手続補正５】
【補正対象書類名】明細書
【補正対象項目名】０００６
【補正方法】変更
【補正の内容】
【０００６】
１態様によれば、遊技機において、広く公正に遊技可能にする。
【手続補正６】
【補正対象書類名】明細書
【補正対象項目名】０７１９
【補正方法】変更
【補正の内容】
【０７１９】
上述した第５の実施形態（変形例含む）の遊技機１０は、一側面において以下のような特徴を有する。
（１）遊技機１０は、第１の変動表示ゲーム（たとえば、特図１ゲーム）の結果または第２の変動表示ゲーム（たとえば、特図２ゲーム）の結果として第１の当り（たとえば、小当り）を導出可能にし、第１の当りを契機として第２の当り（たとえば、大当り）を導出可能にし、第２の当りの後に、第１の変動表示ゲームの遊技状態および第２の変動表示ゲームの遊技状態を遊技者にとって有利に遊技進行可能な特定遊技状態（たとえば、普電サポート遊技状態、時短遊技状態）とし、特定遊技状態において、第１の変動表示ゲームの結果または第２の変動表示ゲームの結果が所定回数（たとえば、時短回数）導出されることを特定遊技状態の終了条件とするとともに、第１の変動表示ゲームの結果または第２の変動表示ゲームの結果のうち第１の当りが所定回数（たとえば、小当り回数）導出されることを特定遊技状態の終了条件とする、遊技制御手段（遊技制御装置１００、演出制御装置３００）を含む（図６５参照）。
【手続補正７】
【補正対象書類名】明細書
【補正対象項目名】０７２０
【補正方法】変更
【補正の内容】
【０７２０】
（２）遊技機１０は、第１の変動表示ゲーム（たとえば、特図１ゲーム）の結果または第２の変動表示ゲーム（たとえば、特図２ゲーム）の結果として第１の当り（たとえば、小当り）を導出可能にし、第１の当りを契機として第２の当り（たとえば、大当り）を導出可能にし、第２の当りの後に、第１の変動表示ゲームの遊技状態または第２の変動表示ゲームの遊技状態を遊技者にとって有利に遊技進行可能な特定遊技状態（たとえば、普電サポート遊技状態、時短遊技状態）とし、特定遊技状態において、第１の変動表示ゲームの結果または第２の変動表示ゲームの結果が所定回数（たとえば、時短回数）導出されることを特定遊技状態の終了条件とするとともに、第１の変動表示ゲームの結果または第２の変動表示ゲームの結果のうち第１の当りが所定回数（たとえば、小当り回数）導出されることを特定遊技状態の終了条件とする、遊技制御手段（遊技制御装置１００、演出制御装置３００）を含む（図６５参照）。
【手続補正８】
【補正対象書類名】明細書
【補正対象項目名】０７２２
【補正方法】変更
【補正の内容】
【０７２２】
（４）（１）または（２）の遊技制御手段は、特定遊技状態の終了条件のうち、第１の変動表示ゲームの結果として第１の当りが導出される回数よりも第２の変動表示ゲームの結果として第１の当りが導出される回数を小さくする（図６５参照）。
【手続補正９】
【補正対象書類名】特許請求の範囲
【補正対象項目名】全文
【補正方法】変更
【補正の内容】
【特許請求の範囲】
【請求項１】
第１の変動表示ゲームの結果または第２の変動表示ゲームの結果として第１の当りを導出可能にし、
前記第１の当りを契機として第２の当りを導出可能にし、
前記第２の当りの後に、前記第１の変動表示ゲームの遊技状態および前記第２の変動表示ゲームの遊技状態を遊技者にとって有利に遊技進行可能な特定遊技状態とし、
前記特定遊技状態において、前記第１の変動表示ゲームの結果または前記第２の変動表示ゲームの結果が第１の所定回数導出されることを前記特定遊技状態の終了条件とするとともに、前記第２の変動表示ゲームの結果として前記第１の当りが第２の所定回数導出されることを前記特定遊技状態の終了条件とする、
遊技制御手段を含む、
遊技機。
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に遊技価値を付与する遊技機において、
遊技の進行を制御する主制御手段と、
貸出または入賞または返却による前記遊技価値に関する遊技価値情報を管理する遊技価値管理制御手段と、
前記遊技価値管理制御手段により管理される前記遊技価値情報を複数の７セグメントディスプレイで表示する遊技価値表示手段と
を備え、
前記遊技機は、前記遊技価値管理制御手段と、外部ユニットとのデータ送受信により、前記遊技価値の移動が実行可能であり、
前記複数の７セグメントディスプレイそれぞれは前記遊技価値情報の表示に用いられる複数のセグメントを有し、
前記遊技価値管理制御手段は、
管理している前記遊技価値情報を基に、前記遊技価値表示手段に前記複数の７セグメントディスプレイそれぞれの前記複数のセグメントそれぞれの点灯データを出力し、前記外部ユニットへの当該点灯データの示す遊技価値の量を含む遊技情報データを出力するための処理を行い、
前記遊技価値の返却操作を契機として、前記外部ユニットへの前記遊技価値に関する返却データを出力するための処理を行い、
前記返却操作から前記返却データを出力するまでの期間は、前記遊技価値表示手段の表示を変化させず、前記返却データを出力するための処理を完了した後、前記遊技価値表示手段の表示を変化させ、
前記遊技価値表示手段の表示の変化に対応して、遊技価値の量を更新した前記遊技情報データを出力するための処理を行う
ことを特徴とする遊技機。
【手続補正２】
【補正対象書類名】明細書
【補正対象項目名】０００７
【補正方法】変更
【補正の内容】
【０００７】
上記目的を達成するために、本発明にかかる遊技機は、複数種類の図柄を可変表示する可変表示列を複数有する表示手段と、前記可変表示列それぞれの可変表示を停止させる停止操作手段とを備え、全ての前記可変表示列が停止したときの図柄組合せに応じて遊技者に遊技価値を付与する遊技機において、遊技の進行を制御する主制御手段と、貸出または入賞または返却による前記遊技価値に関する遊技価値情報を管理する遊技価値管理制御手段と、前記遊技価値管理制御手段により管理される前記遊技価値情報を複数の７セグメントディスプレイで表示する遊技価値表示手段とを備え、前記遊技機は、前記遊技価値管理制御手段と、外部ユニットとのデータ送受信により、前記遊技価値の移動が実行可能であり、前記複数の７セグメントディスプレイそれぞれは前記遊技価値情報の表示に用いられる複数のセグメントを有し、前記遊技価値管理制御手段は、管理している前記遊技価値情報を基に、前記遊技価値表示手段に前記複数の７セグメントディスプレイそれぞれの前記複数のセグメントそれぞれの点灯データを出力し、前記外部ユニットへの当該点灯データの示す遊技価値の量を含む遊技情報データを出力するための処理を行い、前記遊技価値の返却操作を契機として、前記外部ユニットへの前記遊技価値に関する返却データを出力するための処理を行い、前記返却操作から前記返却データを出力するまでの期間は、前記遊技価値表示手段の表示を変化させず、前記返却データを出力するための処理を完了した後、前記遊技価値表示手段の表示を変化させ、前記遊技価値表示手段の表示の変化に対応して、遊技価値の量を更新した前記遊技情報データを出力するための処理を行うことを特徴としている。
【手続補正３】
【補正対象書類名】明細書
【補正対象項目名】０００８
【補正方法】変更
【補正の内容】
【０００８】
この構成によれば、返却操作タイミングでの点灯データを遊技価値の返却操作から返却終了するまで維持されることにより、より正しく遊技価値の返却を行うことができる。
【手続補正４】
【補正対象書類名】明細書
【補正対象項目名】００４３
【補正方法】変更
【補正の内容】
【００４３】
一方、（４）の場合、返却操作を受付けてから返却処理における照合が終了するまでの期間は、データ保持手段２４１に記憶されている点灯データの更新が後述する返却手段２４６により禁止されている期間である。このため、点灯データ管理手段２４５は、例えば所定時間（例えば割込処理の時間間隔）毎にメダル管理制御基板８３の管理ＣＰＵ８１（メダル表示制御手段３０１）から出力される所持メダル表示器２６を構成する５個の７セグメントディスプレイＳＥＧ１Ｂ〜ＳＥＧ５Ｇそれぞれの複数のセグメントＡ〜Ｇ、ＤＰそれぞれの点灯データをデータ保持手段２４１に更新記憶させず、データ保持手段２４１に記憶されている点灯データの更新を行わない。したがって、データ保持手段２４１に記憶されている各セグメントの点灯データは、返却操作タイミングでの各セグメントの点灯データを維持することになり、後述する返却手段２４６は後述する照合に返却操作タイミングでの各セグメントの点灯データを利用することが可能になっている。そして、照合が終了した後、データ保持手段２４１に記憶されている点灯データの更新が後述する返却手段２４６により禁止されていない期間となる。このため、点灯データ管理手段２４５は、例えば所定時間（例えば割込処理の時間間隔）毎にメダル管理制御基板８３の管理ＣＰＵ８１（メダル表示制御手段３０１）から出力される所持メダル表示器２６を構成する５個の７セグメントディスプレイＳＥＧ１Ｂ〜ＳＥＧ５Ｇそれぞれの複数のセグメントＡ〜Ｇ、ＤＰそれぞれの点灯データをデータ保持手段２４１に記憶させて、データ保持手段２４１に記憶されている点灯データの更新を行う。このように、データ保持手段２４１に記憶される各セグメントの点灯データは、所持メダル表示器２６の表示内容が変化していないときは、所定のタイミングで、変化していない点灯データで更新記憶され、表示内容が変化したときは変化するタイミングとは異なるタイミングで変化する。
【手続補正書】
【提出日】令和3年5月13日(2021.5.13)
【手続補正１】
【補正対象書類名】特許請求の範囲
【補正対象項目名】請求項５
【補正方法】変更
【補正の内容】
【請求項５】
前記第１の蒸発器は、食器洗浄機の食器洗浄部から排出されたすすぎ用温水と熱交換可能に構成されたことを特徴とする請求項４に記載の食器洗浄機の温水生成貯湯装置。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
ヒドロキシ酸エステル類の濃度（質量）に対する甘味度の比（［甘味度］／［ヒドロキシ酸エステル類の濃度（ｐｐｍ）］）が０．５以上３０以下であり、
甘味度が０．５以上３０以下であり、
真正エキスが２．０質量％以下であり、
前記ヒドロキシ酸エステル類が、クエン酸トリエチル、クエン酸トリプロピル、クエン酸トリブチル、酒石酸ジエチル、リンゴ酸ジエチル、及びリンゴ酸ジブチルからなる群より選択される１種以上である、発泡性飲料。
【請求項２】
２０℃における炭酸ガス含有量が３．０ガスボリューム以上である、請求項１に記載の発泡性飲料。
【請求項３】
アセスルファムカリウムを含有する、請求項１又は２に記載の発泡性飲料。
【請求項４】
ビール様発泡性飲料である、請求項１〜３のいずれか一項に記載の発泡性飲料。
【請求項５】
アルコール濃度が１容量％未満である、請求項１〜４のいずれか一項に記載の発泡性飲料。
【手続補正２】
【補正対象書類名】明細書
【補正対象項目名】発明の名称
【補正方法】変更
【補正の内容】
【発明の名称】発泡性飲料
【手続補正３】
【補正対象書類名】明細書
【補正対象項目名】０００９
【補正方法】変更
【補正の内容】
【０００９】
本発明に係る発泡性飲料は、下記［１］〜［５］である。
［１］  ヒドロキシ酸エステル類の濃度（質量）に対する甘味度の比（［甘味度］／［ヒドロキシ酸エステル類の濃度（ｐｐｍ）］）が０．５以上３０以下であり、
甘味度が０．５以上３０以下であり、
真正エキスが２．０質量％以下であり、
前記ヒドロキシ酸エステル類が、クエン酸トリエチル、クエン酸トリプロピル、クエン酸トリブチル、酒石酸ジエチル、リンゴ酸ジエチル、及びリンゴ酸ジブチルからなる群より選択される１種以上である、発泡性飲料。
［２］  ２０℃における炭酸ガス含有量が３．０ガスボリューム以上である、前記［１］の発泡性飲料。
［３］  アセスルファムカリウムを含有する、前記［１］又は［２］の発泡性飲料。
［４］  ビール様発泡性飲料である、前記［１］〜［３］のいずれかの発泡性飲料。
［５］  アルコール濃度が１容量％未満である、前記［１］〜［４］のいずれかの発泡性飲料。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
被検眼の眼底画像を処理する眼底画像処理装置であって、
前記眼底画像処理装置の制御部は、
眼底画像撮影部によって撮影された前記眼底画像を取得し、
機械学習アルゴリズムによって訓練された数学モデルに前記眼底画像の少なくとも一部を入力することで、前記眼底画像の少なくとも一部に存在する動脈と静脈の検出結果を取得することを特徴とする眼底画像処理装置。
【請求項２】
請求項１に記載の眼底画像処理装置であって、
前記数学モデルは、過去に撮影された被検眼の眼底画像を入力用訓練データとし、且つ、前記入力用訓練データの前記眼底画像における動脈と静脈を示すデータを出力用訓練データとして訓練されており、
前記数学モデルに１つの前記眼底画像が入力されることで、動脈と静脈の検出結果が取得されることを特徴とする眼底画像処理装置。
【請求項３】
請求項１または２に記載の眼底画像処理装置であって、
前記制御部は、
取得した前記眼底画像の領域内の一部に関心領域を設定し、
前記数学モデルに前記関心領域の画像を入力することで、前記関心領域に存在する動脈と静脈の検出結果を取得することを特徴とする眼底画像処理装置。
【請求項４】
請求項１から３のいずれかに記載の眼底画像処理装置であって、
前記制御部は、
前記眼底画像の領域内のうち、乳頭を中心とする領域を前記関心領域として設定することを特徴とする眼底画像処理装置。
【請求項５】
被検眼の眼底画像を処理する眼底画像処理装置によって実行される眼底画像処理プログラムであって、
前記眼底画像処理プログラムが前記眼底画像処理装置の制御部によって実行されることで、
眼底画像撮影部によって撮影された前記眼底画像を取得する画像取得ステップと、
機械学習アルゴリズムによって訓練された数学モデルに前記眼底画像の少なくとも一部を入力することで、前記眼底画像の少なくとも一部に存在する動脈と静脈の検出結果を取得する動静脈検出結果取得ステップと、
を前記眼底画像処理装置に実行させることを特徴とする眼底画像処理プログラム。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
超音波を用いて被検眼の眼圧を測定する超音波眼圧計であって、
前記被検眼に対して超音波を照射する照射手段と、
前記照射手段によって前記被検眼に照射される超音波を抑制する抑制手段と、
を備えることを特徴とする超音波眼圧計。
【請求項２】
前記抑制手段の駆動を制御する制御手段をさらに備えることを特徴とする請求項１の超音波眼圧計。
【請求項３】
前記制御手段は、前記照射手段の出力が所定になったと判定した場合、前記抑制手段による抑制を解除することを特徴とする請求項２の超音波眼圧計。
【請求項４】
前記制御手段は、所定の出力で前記被検眼に超音波を照射した後、前記抑制手段による抑制を開始させることを特徴とする請求項２の超音波眼圧計。
【請求項５】
超音波を用いて被検眼の眼圧を測定する超音波眼圧計であって、
前記被検眼に対して超音波を照射する照射手段と、
前記照射手段を内部に収容する筐体において前記照射手段の照射経路上に設けられた開口部の少なくとも一部を遮蔽する遮蔽手段を備えることを特徴とする超音波眼圧計。
【請求項６】
前記遮蔽手段は、前記照射手段を保護するための保護手段として兼用されることを特徴とする請求項５の超音波眼圧計。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
先端部を持ち、該先端部が被検眼の角膜に接近された状態で被検眼の眼圧を測定する眼圧測定ユニットと、
前記先端部を被検眼側に露出させるための窓部を有しており、角膜形状を測定するためのパターン指標を前記被検眼の角膜へ投影する板状の指標投影器と、
前記眼圧測定ユニットの少なくとも前記先端部を、前記指標投影器に対して相対的に前後方向に移動させる移動部と、
角膜形状を測定する角膜形状測定モードと、眼圧を測定する眼圧測定モードとの間で測定モードを切り替える制御部と、を有し、
前記制御部は、前記測定モードに応じて前記移動部を制御することで、前記眼圧測定ユニットの先端部を、前記眼圧測定モードでは前記指標投影器の表面に対して被検眼側の第１ポジションに配置させ、前記角膜形状測定モードでは前記第１ポジションに対して後退した第２ポジションに配置させる、眼科測定装置。
【請求項２】
前記眼圧測定ユニットは、
被検眼を、非接触で、先端部から延びる測定軸方向に圧平する圧平手段と、
前記測定軸に沿って指標光束を投光し、指標光束による角膜反射光に基づいて圧平信号を得る、圧平検出光学系と、を有する請求項１記載の眼科装置。
【請求項３】
前記角膜形状測定モードにおいて、前記窓部による前記パターン指標の欠けを補間する補間手段を有する請求項１又は２記載の眼科測定装置。
【請求項４】
前記指標投影器において前記パターン指標を形成するためのパターン領域のうち最も外側のパターン領域よりも前記指標投影器の中心部側に、前記先端部は配置される、請求項１〜３のいずれかに記載の眼科測定装置。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
被検眼の複数の眼特性を測定する眼科測定装置であって、
角膜形状とは異なる第１眼特性を、第１測定軸を介して測定する第１測定ユニットと、
角膜形状と前記第１眼特性とのいずれとも異なる第２眼特性を、前記第１測定軸の上下左右方向に並列的に配置される第２測定軸を介して、測定する第２測定ユニットと、
角膜形状を測定するためのパターン指標を、被検眼と対向する正面から前記被検眼の角膜へ投影する指標投影器であって、前記正面に前記第１測定軸と前記第２測定軸とを通過させるための窓部が各々の測定軸と対応して形成される指標投影器と、を有する眼科測定装置。
【請求項２】
少なくとも１つの前記窓部による前記パターン指標の欠けを補間する補間手段を有する請求項１記載の眼科測定装置。
【請求項３】
前記補間手段は、前記パターン指標において前記窓部によって欠けた一部を補間するための第２パターン指標を前記角膜へ投影する、補間指標投影器である請求項２記載の眼科測定装置。
【請求項４】
前記補間手段は、前記角膜において前記パターン指標が投影される領域を切換えて前記指標投影器から前記パターン指標を投影することで、前記窓部による前記パターン指標の欠けを補間する請求項２記載の眼科測定装置。
【請求項５】
前記パターン指標が投影された状態の前記被検眼を撮像する前眼部撮影光学系と、
前記前眼部撮影光学系で撮像される前眼部画像に基づいて角膜形状マップを生成するマップ生成部と、を更に有し、
前記マップ生成部は、前記角膜形状マップのうち、前記補間手段によって補間された一部の領域を、他の測定領域と異なる態様で表示する、請求項２〜４の何れかに記載の眼科測定装置。
【請求項６】
前記パターン指標の角膜反射光によるパターン指標像を撮像する前眼部撮影光学系を、前記第１測定ユニットおよび前記第２測定ユニットのうちいずれか一方に有し、前記第１測定軸と前記第２測定軸とのうち前記一方と対応する軸は、前記前眼部撮影光学系の光軸と同軸である、請求項１〜５の何れかに記載の眼科測定装置。
【請求項７】
前記第１測定ユニットは、前記第１の眼特性として眼屈折力を測定し、
前記第２測定ユニットは、前記第２の眼特性として眼圧を測定する請求項１〜７のいずれかに記載の眼科測定装置。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
被検体に照射された測定光と参照光によるＯＣＴ信号を取得するためのＯＣＴ光学系と、
被検体上の第１の領域と、前記第１の領域と隣接または部分的に重複する第２の領域とのそれぞれにおいて時間的に異なる複数のＯＣＴ信号を取得する撮影シーケンスであって、前記第１の領域と前記第２の領域との間で撮影条件が異なる撮影シーケンスを、前記ＯＣＴ光学系を所定のトリガに基づいて制御することで実行する制御手段と、
前記第１の領域および前記第２の領域において前記撮影シーケンスに基づいて取得された複数のＯＣＴ信号に基づいて被検体のＯＣＴモーションコントラストデータを得る取得手段と、を備えるＯＣＴ装置。
【請求項２】
前記制御手段は、前記撮影シーケンスにおいて、前記第１の領域と前記第２の領域との間で、前記複数のＯＣＴ信号の取得に要する時間を、単位面積当たりで互いに異ならせる、請求項１記載のＯＣＴ装置。
【請求項３】
前記制御手段は、前記撮影シーケンスにおいて、前記第２領域では、単位面積当たりのＡスキャンの回数を、前記第１領域よりも増大させる請求項２記載のＯＣＴ装置。
【請求項４】
前記制御手段は、前記撮影シーケンスにおいて、前記第２領域では、前記第１領域よりも高密度に前記ＯＣＴ信号を取得する請求項３記載のＯＣＴ装置。
【請求項５】
前記ＯＣＴ光学系は、前記測定光を偏向し、被検体上で走査する走査部を有し、
前記制御手段は、前記走査部を制御して前記第１の領域と前記第２の領域との間で時間当たりの走査量を異ならせることによって、取得される前記ＯＣＴ信号の密度を、前記第１の領域と前記第２の領域との間で互いに異ならせる請求項４記載のＯＣＴ装置。
【請求項６】
前記制御手段は、前記第２の領域における少なくとも一部のＯＣＴ信号の走査ポイントにおいて、前記走査部の走査方向に関して隣りあう２つの走査ポイントに対して照射された前記測定光のビームスポットがオーバーラップするように、前記走査部を制御する請求項５記載のＯＣＴ装置。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
雌部材１５０と雄部材１００からなる連結具において、
前記雄部材１００は、係合部１１２と操作部１１３を有する弾性部材１１０と、前記弾性部材１１０を組み込む為の空隙１２１が形成されたボディ部材１２０とを具備しており、
前記雌部材１５０は、前記雄部材１００が挿抜される差込口１５３に前記弾性部材１１０の前記係合部１１２と係合する被係合部１５１が形成されている
ことを特徴とする装身具用連結具。    
【請求項２】
前記弾性部材１１０には複数の腕部１１４が設けられており、
複数の前記腕部１１４の少なくとも１つには前記係合部１１２と前記操作部１１３が形成されていることを特徴とする請求項１に記載の装身具用連結具。 
【請求項３】
前記雄部材１００は柱状であり、
前記ボディ部材１２０の先端部１２２側および後端部１２３側の少なくとも一方に前記空隙１２１が形成されていることを特徴とする請求項１または２に記載の装身具用連結具。
【請求項４】
前記ボディ部材１２０の前記後端部１２３側に、前記先端部１１２側よりも当該ボディ部材１２０の短手方向に膨らんだ膨らみ部１２９が形成されていることを特徴とする請求項３に記載の装身具用連結具。 
【請求項５】
前記雄部材１００の先端部１０１から略中央部にかけて、
前記弾性部材１１０の面に沿う方向であって、
前記弾性部材１１０の先端部１１１から略中央部を結ぶ方向に対して垂直方向の大きさは、前記ボディ部材１２０の前記垂直方向の大きさよりも大きいことを特徴とする請求項３又は４に記載の装身具用連結具。 
【請求項６】
前記ボディ部材１２０の前記空隙１２１が前記先端部１２２側に設けられ、当該先端部１２２が当該空隙１２１を間に挟む一対の先端部１２２ａと先端部１２２ｂとで形成され、
前記雄部材１００の先端部１０１が、
前記ボディ部材１２０の一方の前記先端部１２２ａ及び他方の前記先端部１２２ｂとの間に
前記弾性部材１１０の先端部１１１が配置されて構成されていることを特徴とする請求項３又は４に記載の装身具用連結具。 
【請求項７】
前記ボディ部材１２０の少なくとも一部が２分割されて、
その間に１つ以上のスペーサー１４０を挟み込んで組み立てられていることを特徴とする請求項１乃至６のいずれか１項に記載の装身具用連結具。 
【請求項８】
前記雄部材１００はさらに具設部材１６０を備え、
前記ボディ部材１２０の先端近傍に具設孔１２５が設けられており、
前記弾性部材１１０の前記先端部１１１に凹溝部１１９が形成されおり、
前記ボディ部材１２０と前記具設部材１６０を具設させた状態において、
前記具設部材１６０の先端部１６１側の少なくとも一部が、
前記弾性部材１１０の前記凹溝部１１９に挟み込まれていることを特徴とする請求項５又は６に記載の装身具用連結具。 
【請求項９】
前記弾性部材１１０の前記先端部１１１の少なくとも一部が、
前記ボディ部材１２０の内壁部１２７に当接していることを特徴とする請求項５，６又は８に記載の装身具用連結具。 
【請求項１０】
前記弾性部材１１０の前記先端部１１１に凹溝部１１９が形成されおり、
前記弾性部材１１０の前記凹溝部１１９の少なくとも一部が、
前記ボディ部材１２０前記内壁部１２７と当接した状態において、
前記ボディ部材１２０の先端部側の一部が前記凹溝部１１９に挟み込まれていることを特徴とする請求項９に記載の装身具用連結具。 
【請求項１１】
前記ボディ部材１２０は前記空隙１２１以外が中実であることを特徴とする請求項１乃至１０のいずれか１項に記載の装身具用連結具。 
【請求項１２】
請求項１乃至１１のいずれか１項に記載の装身具用連結具を備えた装身具。 
【手続補正２】
【補正対象書類名】明細書
【補正対象項目名】０００５
【補正方法】変更
【補正の内容】
【０００５】
上記の目的を達成するため、本発明は、雌部材１５０と雄部材１００からなる装身具用連結具において、前記雄部材１００は、係合部１１２と操作部１１３を有する弾性部材１１０と、前記弾性部材１１０を組み込む為の空隙１２１が形成されたボディ部材１２０とを具備しており、前記雌部材１５０は、前記雄部材１００が挿抜される差込口１５３に前記雄部材１００の前記係合部１１２と係合する被係合部１５１が形成されている装身具用連結具を提供する。
【手続補正書】
【提出日】令和3年5月29日(2021.5.29)
【手続補正１】
【補正対象書類名】特許請求の範囲
【補正対象項目名】全文
【補正方法】変更
【補正の内容】
【特許請求の範囲】
【請求項１】
支持部に対して開閉可能に設けられた開閉手段と、前記支持部に対して前記開閉手段が開放された所定の開放状態であるか否かを検知可能な開放検知手段とを備えた遊技機であって、
所定の設定情報に対応する抽選確率で所定の抽選を行う抽選手段と、
該抽選手段による抽選確率として設定可能な複数の確率の各々に対応する複数の前記設定情報のうち、１の前記設定情報を選択する操作に対応する操作情報を入力可能な入力手段と、
前記開放検知手段によって前記所定の開放状態でないと検知された状態において前記入力手段により前記操作情報が入力された場合に、当該操作情報に対応する操作によって選択された前記設定情報を、前記抽選手段による抽選確率に対応する前記設定情報として設定可能な情報設定手段と、
前記開放検知手段によって前記所定の開放状態でないと検知された状態において前記入力手段によって前記操作情報が入力された場合に所定の情報を出力する情報出力手段と、
該情報出力手段は、前記所定の情報が出力された場合には、前記遊技機の前面側に対して所定の操作が行われた場合に当該所定の情報の出力を停止することを特徴とする遊技機。